(57)【要約】【課題】稼動コストや製造コストの軽減、軽量化、省スペース化を実現し得るフルフェイスマスク型空気清浄機、及び、簡易に当該空気清浄機を製造し得るフルフェイスマスク型空気清浄機の製造方法を提供する。【解決手段】フルフェイスマスク型空気清浄機１は、頭部２に装着される筒袋状の本体部１０と、該本体部の内周面に顔面との間に空間を設けるように取り付けられる湾曲板状の芯体２０と、を備え、前記本体部は、通気性を有し空気を清浄化するフィルタ部１１と、透視部１３と、を備えており、呼吸により空気が前記フィルタ部を通過することにより、該空気が清浄化されることを特徴とする。【選択図】図１
2018000905.tif 000002
【特許請求の範囲】
【請求項１】
頭部に装着される筒袋状の本体部と、該本体部の内周面に顔面との間に空間を設けるように取り付けられる湾曲板状の芯体と、を備え、前記本体部は、通気性を有し空気を清浄化するフィルタ部と、透視部と、を備えており、
呼吸により空気が前記フィルタ部を通過することにより、該空気が清浄化されることを特徴とするフルフェイスマスク型空気清浄機。
【請求項２】
請求項１に記載のフルフェイスマスク型空気清浄機において、
前記芯体には、前記本体部の筒内に向けてそれぞれ突出するように一対の耳係止部と、鼻当接部と、が設けられていることを特徴とするフルフェイスマスク型空気清浄機。
【請求項３】
請求項１又は２に記載のフルフェイスマスク型空気清浄機において、
前記芯体には、鼻と口に対応する部位に、貫通孔が形成されており、前記本体部には、前記芯体の貫通孔に対応した部位に、該貫通孔を塞ぐように着脱自在に取り付けられる、前記フィルタ部を含んで構成される蓋部が設けられていることを特徴とするフルフェイスマスク型空気清浄機。
【請求項４】
頭部に装着される筒袋状とされ、少なくとも装着者の鼻と口に対応する部位に通気性を有し空気を清浄化するフィルタ部を備え、かつ装着者の両目に対応した部位に透視部を備えた本体部を製造する工程と、前記本体部の内周面に、顔面との間に空間を設けるように固定される湾曲板状の芯体を製造する工程と、を備え、
前記装着者の呼吸により空気が前記フィルタ部を通過することにより、該空気が清浄化される構成となっていることを特徴とするフルフェイスマスク型空気清浄機の製造方法。
【発明の詳細な説明】
【技術分野】
【０００１】  本発明は、フルフェイスマスク型空気清浄機、及びフルフェイスマスク型空気清浄機の製造方法、に関する。
【背景技術】
【０００２】  従来より、下記特許文献１に示すような空気清浄機が用いられている。
【先行技術文献】
【特許文献】
【０００３】
【特許文献１】特開２０１３−１９２９８７号公報
【発明の概要】
【発明が解決しようとする課題】
【０００４】  しかしながら、このような空気清浄機は、電気などの動力源が不可欠であるため、コストがかかる。また、一般的に製品として廉価ではない。さらに、装置自体が大型であるため嵩張る。以上より、改良の余地がある。【０００５】  本発明は、上記実情に鑑みてなされたものであり、稼動コストや製造コストの軽減、軽量化、省スペース化を実現し得るフルフェイスマスク型空気清浄機、及び、簡易に当該空気清浄機を製造し得るフルフェイスマスク型空気清浄機の製造方法を提供することを目的とする。
【課題を解決するための手段】
【０００６】  上記目的を達成するために、本発明に係るフルフェイスマスク型空気清浄機は、頭部に装着される筒袋状の本体部と、該本体部の内周面に顔面との間に空間を設けるように取り付けられる湾曲板状の芯体と、を備え、前記本体部は、通気性を有し空気を清浄化するフィルタ部と、透視部と、を備えており、呼吸により空気が前記フィルタ部を通過することにより、該空気が清浄化されることを特徴とする。
本発明においては、前記芯体に、前記本体部の筒内に向けてそれぞれ突出するように一対の耳係止部と、鼻当接部と、を設けるようにしてもよい。
また、本発明においては、前記芯体に、鼻と口に対応する部位に、貫通孔を形成し、前記本体部を、前記芯体の貫通孔に対応した部位に、孔部を有し、かつ、該孔部を塞ぐように着脱自在に取り付けられる、前記フィルタ部を含んで構成される蓋部を備えたものとしてもよい。【０００７】  上記目的を達成するために、本発明に係るフルフェイスマスク型空気清浄機の製造方法は、頭部に装着される筒袋状とされ、少なくとも装着者の鼻と口に対応する部位に通気性を有し空気を清浄化するフィルタ部を備え、かつ装着者の両目に対応した部位に透視部を備えた本体部を製造する工程と、前記本体部の内周面に、顔面との間に空間を設けるように固定される湾曲板状の芯体を製造する工程と、を備え、前記装着者の呼吸により空気が前記フィルタ部を通過することにより、該空気が清浄化される構成となっていることを特徴とする。【０００８】
【発明の効果】
【０００９】  本発明に係るフルフェイスマスク型空気清浄機によれば、稼動コストや製造コストの軽減、軽量化、省スペース化を実現することができる。
また、本発明に係るフルフェイスマスク型空気清浄機の製造方法によれば、簡易に当該空気清浄機を製造することができる。
【図面の簡単な説明】
【００１０】
【図１】本発明の一実施形態に係るフルフェイスマスク型空気清浄機の一例を模式的に示す概略斜視図である。
【図２】（ａ）は、当該フルフェイスマスク型空気清浄機を構成する本体部の一例を示す概略斜視図、（ｂ）は、芯体の一例を示す概略斜視図である。
【発明を実施するための形態】
【００１１】  以下に本発明の実施の形態について、図面を参照しながら説明する。
本発明の一実施形態に係るフルフェイスマスク型空気清浄機１は、図１に示すように、頭部２に装着される筒袋状の本体部１０と、該本体部１０の内周面に顔面との間に空間を設けるように取り付けられる湾曲板状の芯体２０と、を備えている。
【００１２】  本体部１０は、図１及び図２（ａ）に示すように、頭部２が挿入される開口部１４を有し、筒状部内には頭部２の略全体が十分に収納されるだけの収納スペースを有している。
本体部１０は、通気性を有し空気を清浄化するフィルタ部１１と、透視部１４と、を備えている。
【００１３】  フィルタ部１１は、柔軟性のあるシート状であり、例えば、主に５０μｍ以上の粒子を捕捉する粗塵用フィルタや、主に２５μｍ以上の粒子を捕捉する中高性能フィルタ、主に０．３μｍ以上の粒子を補足するＨＥＰＡフィルタ、ＵＬＰＡフィルタなどを用いてもよい。また、粒子の大きさが．２．５μｍ以下である大気中に浮遊する微小粒子状物質（ＰＭ２．５）を捕捉するフィルタを用いてもよい。フィルタ部１１としては市販される既製品を用いてもよい。
【００１４】  フィルタ部１１は、呼吸によって空気の清浄化がなされるように本体部１０に設ければよく、本体部１０の略全体に設けて、本体部１０全体をフィルタ部１１によって構成してもよい。また、フィルタ部１１を本体部１０における口や鼻に対応する部位のみに設けてもよく、この場合は、本体部１０におけるフィルタ部１１以外の部位は、布やビニール、紙などによって構成してもよい。
【００１５】  フルフェイスマスク型空気清浄機１を頭部２に装着した状態において、呼吸をすることにより、空気がフィルタ部１１を通過するので、これにより、該空気が清浄化される。すなわち、吸気により当該空気清浄機１の外部の空気がフィルタ部１１を通って本体部１０内に吸い込まれるが、その際にその空気内に存在する塵などの粒子がフィルタ部１１によって補足され、その空気の清浄化がなされる。また、呼気により当該空気清浄機１の内部の空気がフィルタ部１１を通って本体部１０外に吐き出されるが、その際にその空気内に存在する塵などの粒子がフィルタ部１１によって補足され、その空気の清浄化がなされる。
【００１６】  透視部１３は、これを通して本体部１０の内部から外を見ることができる部位であり、本体部１０における目に対応した部位に設けられる。透視部１３は、本体部１０に厚さ方向に貫通するように設けた貫通孔によって構成されており、これと後述の芯体２０の透明部２３とによって、当該空気清浄機１の装着状態において、これら透視部１３及び透明部２３を通して外部を見ることができる構成となっている。
【００１７】  芯体２０は、図１及び図２（ｂ）に示すように、本体部１０の内周面に沿うような湾曲形状を有する板状体であり、本体部１０の筒状部内に、その略全体が収納されるように設けられている。
芯体２０は、顔面（顔の前面における、鼻を除いた頬などの平坦な部位）との間に、２ｍｍ〜１００ｍｍ程度の空間を設けるように、本体部１０に固定するようにしてもよい。また、鼻先端部が芯体２０に当接するように、または、鼻先端部と芯体２０との間に空間を設けるように芯体２０を本体部１０に固定してもよい。
【００１８】  本実施形態では、芯体２０における、鼻と口に対応する部位に、貫通孔２４を形成している。貫通孔２４は、鼻と口の全体をカバーするように設けてもよいし、鼻のみ、または口のみに対応する部位に設けてもよい。
また、本実施形態では、本体部１０には、芯体２０の貫通孔２４に対応した部位に、該貫通孔２４を塞ぐように着脱自在に取り付けられる、フィルタ部１１を含んで構成される蓋部１２を設けている。
このように、蓋部１２を本体部１０に着脱自在に取り付けることにより、呼吸が苦しくなったような場合に蓋部１２を取り外すことができるので、蓋部１２に、いわゆる安全装置としての機能を付与することができる。
フィルタ部１１は、空気清浄がなされる態様で蓋部１２に設けるようにすればよく、蓋部１２の略全体に設けてもよいし、蓋部１２における、鼻や口に対応する部位の一部にのみに設けてもよい。
【００１９】  蓋部１２は、例えば、マジックテープ（登録商標）などの面ファスナーや、マスキングテープなどの粘着テープによって、本体部１０に着脱自在に取り付けるようにしてもよい。
また、蓋部１２に、外部に露出するように、ヒモなどからなる引っ張り部を設けてもよい。こうすれば、引っ張り部を引っ張れば蓋部１２を容易に取り外すことができるので、より確実に安全装置としての機能を発揮することができる。
【００２０】  また、本実施形態では、芯体２０に、本体部１０の筒内に向けてそれぞれ突出するように一対の耳係止部２１，２１と、鼻当接部２２と、を設けている。一対の耳係止部２１，２１は両耳に係止され、鼻当接部２２は両鼻翼に当接する構成となっているので、当該空気清浄機１は、頭部２に装着された状態で、耳係止部２１，２１が係止される両耳及び鼻当接部２２が当接する鼻によって支持される。
【００２１】  また、芯体２０における、本体部１０の透視部１３に対応する部位には透明部２３が設けられており、外部から透視部１３を通してこの透明部２３が露出するように、本体部１０の内周面に芯体２０が固定されている。
芯体２０は、透明で、破損し難く、強度を有する材質からなり、例えば、エポキシ樹脂や紫外線硬化型樹脂、ポリエステル樹脂、透明ポリウレタン樹脂、アクリル樹脂、低粘度エポキシ樹脂、急速硬化型エポキシ樹脂などの透明樹脂や、ガラスなどの材質からなるものを用いてもよい。
また、芯体２０を透明な材質によって構成しているので、当該空気清浄機１の装着状態において、透明部２３及び透視部１３を通して外部を見ることができる。
なお、芯体２０としては、市販される既製品を用いてもよい。例えば、防災用などに用いられる、シールド付きの保護メガネを用いてもよい。
【００２２】  なお、当該空気清浄機１は、本体部１０を頭２に被せた後、本体部１０の開口部１４の縁部を二重に重なるようにクリップなどで挟んで、開口部１４を狭めて、首と開口部１４との間の隙間を狭くするようにしてもよい。また、開口部１４の縁部の全体に巾着状部を設けて、紐などによって開口部１４を狭めたり拡げたりできる構成としてもよい。
【００２３】  次に、本発明に係るフルフェイスマスク型空気清浄機１の製造方法について説明する。
本発明の一実施形態に係るフルフェイスマスク型空気清浄機１の製造方法は、本体部製造工程Ｂと芯体製造工程Ａとを備えたものである。
【００２４】  芯体製造工程Ａでは、図２（ｂ）に示すように、本体部１０の内周面に、顔面との間に空間を設けるように固定される湾曲板状の芯体２０が製造される。
ここで、芯体２０の元となる材料として、一対の耳係止部２１，２１、鼻当接部２２、及びシールド（顔面を覆うように設けられた板状部位）を有した、市販されている既製品である保護メガネ２０を用いることができる。図２（ｂ）には、この保護メガネ２０を加工して芯材２０を製造する方法を示している。当該製造工程Ａでは、保護メガネ２０のシールド部分における鼻と口に対応する部位に、厚さ方向に貫通する貫通孔２４を形成する。
【００２５】  本体部製造工程Ｂでは、図２（ａ）に示すように、頭部２に装着される筒袋状とされ、少なくとも装着者の鼻と口に対応する部位に通気性を有し空気を清浄化するフィルタ部１１を備え、かつ装着者の両目に対応した部位に透視部１３を備えた本体部１０が製造される。
ここで、本体部１０の全体をフィルタ部１１で構成するようにしてもよい。また、フィルタ部１１は、市販されている既製品であるフィルタシートを用いて構成してもよい。ここで、フィルタシートとは、前に説明した粗塵用フィルタや、中高性能フィルタ、ＨＥＰＡフィルタなどを用いることができる。以下では、既製品であるフィルタシートを用いた場合における製造工程Ｂについて述べる。
【００２６】  まず、フィルタ部１１の元となる複数枚の矩形状のフィルタシートを用いて、適宜これらの端部同士などを、マスキングテープなどの粘着テープや接着剤、面ファスナーなどで連結して、開口部１４を有した筒袋状の形状を作る。
この際、本体部１０における両目に対応する部位に、厚さ方向に貫通する貫通孔を形成して透視部１３を形成する。
次いで、製造工程Ａにて製造した芯体２０を、本体部１０の内周面に、顔面との間に空間を設けるように固定する。これによりフルフェイスマスク型空気清浄機１が製造される。
このように製造したフルフェイスマスク型空気清浄機１は、装着者の呼吸により空気が前記フィルタ部１１を通過することにより、該空気が清浄化される構成となっている。
【００２７】  上記方法では、本体部１０と芯体２０とをそれぞれ別個に製造し、その後これらを一体にしたが、この態様に限定されない。次のようにしてもよい。
すなわち、まず、上記のように製造した芯体２０のシールド部における、顔面とは反対側の板面に、その全面を覆うようにフィルタシートを被せて、これを芯体２０に固定する。そして、フィルタシートにおける両目に対応する部位に、厚さ方向に貫通する貫通孔を設けて透視部１３を形成する。なお、透視部１３の形成は、フィルタシートを芯体２０に固定する前に行なってもよい。
次いで、別のフィルタシートを、この芯体２０の裏側（頭部の側）から先のフィルタシートに、互いの端部がオーバーラップするように連結して、開口部１４を有した筒袋状の形状を作る。
【００２８】  なお、上記した、芯体２０の本体部１０への固定、フィルタシート同士の連結は、マスキングテープなどの粘着テープや、接着剤、マジックテープ（登録商標）などの面ファスナーなどによって行なってもよい。
また、芯体２０の製造は、上記のような既製品を用いる態様に限定されず、湾曲板状のシールド部位や一対の耳係止部２１，２１、鼻当接部２２、貫通孔２３を、それぞれ別個に製造して、その後これらを一体化して芯体２０を製造するようにしてもよい。または、これら部位を同時に形成すべく、成型によって芯体２０を形成してもよい。
【００２９】  上記構成とされた本実施形態に係るフルフェイスマスク型空気清浄機１によれば、稼動コストや製造コストの軽減、軽量化、省スペース化を実現することができる。
つまり、当該フルフェイスマスク型空気清浄機１は、頭部２に装着して人間の呼吸によって空気清浄を行なうものであるので、電力などの動力源が不要でありコストがかからない。また、呼気と吸気の両方で空気の清浄化を行なうことができるので、例えば、既存の空気清浄機のように一方向への空気の通過により清浄化を行なうようなものと比べて、より効率的な清浄化がなされる。
さらに、当該空気清浄機１を、筒袋状の本体部１０や芯体２０と言った身近にある部材で構成しているので、製品として廉価にすることができる。さらに、頭部２に装着して使用するものであるので、嵩張らず、軽量であり、持ち運びが容易である。また、顔面との間に空間を設けるように本体部１０の内周面に湾曲板状の芯体２０を取り付けているので、本体部１０が顔面に接触せず、不快感が少ない。
【００３０】  また、本実施形態では、芯体２０に、本体部１０の筒内に向けてそれぞれ突出するように一対の耳係止部２１，２１と、鼻当接部２２と、を設けている。従って、一対の耳係止部２１，２１が両耳に係止され、鼻当接部２２が両鼻翼に当接する構成となっているので、当該空気清浄機１は、頭部２に装着された状態で、耳係止部２１，２１が係止される両耳及び鼻当接部２２が当接する鼻によって支持され、安定的に頭部に保持される。
また、本実施形態では、芯体２０に、鼻と口に対応する部位に貫通孔を形成し、本体部に、芯体２０の貫通孔２４に対応した部位に、該貫通孔２４を塞ぐようにフィルタ部１１を含んで構成される蓋部１２を設けている。従って、当該空気清浄機１を装着した状態において呼吸することにより、本体部１０の外部の空気と内部の空気とが、貫通孔２４及び蓋部１２（フィルタ部１１を含む）を通過して清浄化される。
また、蓋部１２は本体部１０に対して着脱可能とされているので、例えば、呼吸が苦しくなったような場合に蓋部２０を取り外して空気を取り入れる措置を講ずることができ、蓋部１２を、いわゆる安全装置として機能させることができる。
【００３１】  上記構成とされた本実施形態に係るフルフェイスマスク型空気清浄機１の製造方法によれば、簡易な方法で、フルフェイスマスク型空気清浄機１を製造することができる。
つまり、フルフェイスマスク型空気清浄機１を構成する本体部１０や芯体２０として、既製品を用いることができるので、簡単にフルフェイスマスク型空気清浄機１を製造することができる。
【００３２】  なお、フルフェイスマスク型空気清浄機１を構成する各部材の構成は、記載のものに限定されず、種々の構成としてもよい。
また、当該空気清浄機１は、人間の頭部２に装着されるものに限られず、動物や呼吸機能を有するロボットなどの頭部に装着されるものとしてもよい。
また、当該空気清浄機１の本体部１０の外表面に模様や柄を付与してもよい。これにより、当該空気清浄機１を、単なる空気清浄機としてだけでなく、芸術性を有するオブジェや置物などとしても機能させることができる。
また、蓄光塗料を塗布して模様や柄を付与するようにすれば、夜間でも目立つので見つけ易くなり、また、メッセージの発信力を強くすることができる。
また、本体部１０の底部に、本体部１０が安定的に床上などに載置できるように、安定台や脚などを設けてもよい。
【符号の説明】
【００３３】  １        フルフェイスマスク型空気清浄機
１０      本体部
１１      フィルタ部
１２      蓋部
１３      透視部
２０      芯体
２１      耳係止部
２２      鼻当接部
２４      貫通孔
２        頭部
【図１】
2018000905.tif 000003
【図２】
2018000905.tif 000004
【手続補正書】
【提出日】平成28年11月6日(2016.11.6)
【手続補正１】
【補正対象書類名】特許請求の範囲
【補正対象項目名】全文
【補正方法】変更
【補正の内容】
【特許請求の範囲】
【請求項１】
頭部に装着される筒袋状の本体部と、該本体部の内周面に顔面の略全体との間に空間を設けるように取り付けられる湾曲板状の芯体と、を備え、前記本体部は、通気性を有し空気を清浄化するフィルタ部と、透視部と、を備えており、
呼吸により空気が前記フィルタ部を通過することにより、該空気が清浄化されるフルフェイスマスク型空気清浄機であって、
前記芯体には、前記本体部の筒内に向けてそれぞれ突出するように一対の耳係止部と、鼻当接部と、が設けられており、
前記芯体には、鼻と口に対応する部位に、貫通孔が形成されており、前記本体部には、前記芯体の貫通孔に対応した部位に、該貫通孔を塞ぐように着脱自在に取り付けられる、前記フィルタ部を含んで構成される蓋部が設けられており、
前記フィルタ部は、前記本体部の全体に設けられていることを特徴とするフルフェイスマスク型空気清浄機。
【請求項２】
請求項１において、
前記蓋部には、外部に露出する引っ張り部が設けられており、該引っ張り部を引っ張ることにより、前記蓋部が取り外される構成とされており、これにより該蓋部は安全装置として機能することを特徴とするフルフェイスマスク型空気清浄機。
【請求項３】
頭部に装着される筒袋状とされ、少なくとも装着者の鼻と口に対応する部位に通気性を有し空気を清浄化するフィルタ部を備え、かつ装着者の両目に対応した部位に透視部を備えた本体部を製造する工程と、前記本体部の内周面に、顔面の略全体との間に空間を設けるように固定される湾曲板状の芯体を製造する工程と、を備え、
前記装着者の呼吸により空気が前記フィルタ部を通過することにより、該空気が清浄化される構成となっていることを特徴とするフルフェイスマスク型空気清浄機の製造方法であって、
前記芯体に、前記本体部の筒内に向けてそれぞれ突出するように一対の耳係止部と、鼻当接部と、を設け、
前記芯体の鼻と口に対応する部位に貫通孔を形成し、
前記フィルタ部を、前記本体部の全体に設け、
前記本体部に、前記芯体の貫通孔に対応した部位に、該貫通孔を塞ぐように着脱自在に取り付けられる、前記フィルタ部を含んで構成される蓋部を設けることを特徴とするフルフェイスマスクの製造方法。
【請求項４】
請求項３において、
前記蓋部に、外部に露出する引っ張り部を設け、該引っ張り部を引っ張ることにより、前記蓋部が取り外される構成とされており、これにより該蓋部は安全装置として機能することを特徴とするフルフェイスマスク型空気清浄機の製造方法。